(57)【特許請求の範囲】
【請求項１】
帯状に形成されているとともに表面に文字が表示された基材シートと、該基材シートの裏面において少なくとも長手方向の端部に形成された粘着層とを備え、前記基材シートの長手方向両端部における裏面同士を前記粘着層により貼り合わせループ状にすることで、購入商品を入れるための手提げに対して取り付けられる購入済確認用のタグであって、
前記粘着層により貼り合わせられる貼り合わせ部分となる前記基材シートの長手方向の両端部にはそれぞれ、前記貼り合わせ部分の剥離に伴って前記基材シートを破断に導く切り込みが設けられており、
前記基材シートの前記表面には、その長手方向の両端部にそれぞれ視認可能な識別表示が表示されており、
それら各識別表示の間に前記文字が配置されており、
前記各識別表示はそれぞれ、前記基材シートの端部の前記切り込みに重なるように配置されており、
前記基材シートの色が前記表面と前記裏面とで互いに異なっていることを特徴とする購入済確認用タグ。
【請求項２】
前記基材シートには、前記切り込みがシート面の正面視において凸状に設けられており、
前記基材シートにおける前記切り込みにより囲まれた部分が前記貼り合わせ部分の剥離に伴い捲れ上がることで小片部が形成されており、
前記切り込みとして、
その凸部を前記基材シートの長手方向における中央側に向けて設けられている第一切り込みと、
その凸部を前記基材シートの長手方向における中央側とは反対側に向けて設けられている第二切り込みと、が設けられており、
前記第一切り込みと前記第二切り込みとが前記基材シートの長手方向における両端部にそれぞれ設けられており、
前記基材シートの長手方向における同じ側の端部において、前記第一切り込みが、前記第二切り込みよりも前記基材シートの長手方向中央側に配置されていることを特徴とする請求項１に記載の購入済確認用タグ。
【請求項３】
前記切り込みが、前記基材シートの幅方向に沿って所定間隔で複数設けられていることを特徴とする請求項２に記載の購入済確認用タグ。
【請求項４】
前記切り込みが、シート面の正面視において当該切り込みの開放端が存在する形状に形成されていることを特徴とする請求項１乃至３のいずれか一項に記載の購入済確認用タグ。
【請求項５】
前記切り込みが、前記基材シートの長手方向に沿って所定間隔で複数設けられていることを特徴とする請求項１乃至４のいずれか一項に記載の購入済確認用タグ。
【請求項６】
前記基材シートの長手方向における中間部には、前記基材シートを幅方向に沿って破断するための易破断部が設けられていることを特徴とする請求項１乃至５のいずれか一項に記載の購入済確認用タグ。
【発明の詳細な説明】
【技術分野】
【０００１】
本発明は、スーパーマーケット等の店舗において、バッグやかご等の手提げに入った商品が購入済みであることの確認用として手提げに取り付けられる購入済確認用タグに関する。
【背景技術】
【０００２】
近年、レジ袋の削減等のためにかごやバッグ等の手提げを買物客自身が持参し、これに買物済の商品を入れて持ち帰るケースが増えてきている。このような手提げは、従来の使い捨てのレジ袋とは異なり、繰り返しの使用が可能であるため、省資源や環境保護の面から好ましくその普及が望まれている。
【０００３】
しかしながら、その一方で、かかる手提げを悪用した手口の万引きが近年増加している。例えば、未購入の商品を手提げに入れたまま店外に出たり、あるいは購入済の商品が入った手提げに未購入の商品を一部紛れ込ませたりする等の手口で万引きが行われている。この場合、手提げに入っている商品が購入済みのものか未購入のものかを判別するのが困難であるため、店舗側ではその対策に苦慮しているのが現状である。
【０００４】
ところで、店舗における盗難対策として、商品にＩＣタグを取り付けることで、手提げの中の商品が購入済みであるか否かを判断する技術が存在する（例えば、特許文献１）。ここで、ＩＣタグを用いることで上記手口による盗難の抑制を図ることも考えられるが、ＩＣタグを店舗内のすべての商品に対して取り付けるのは作業的な負荷が大きいし、特に生鮮食品等の入れ替えの激しい商品に対して取り付けるのは困難である。そのため、ＩＣタグを用いた上記の対策は現実的な対策とはいえない。
【先行技術文献】
【特許文献】
【０００５】
【特許文献１】特開２００９−１５７８４９号公報
【発明の概要】
【発明が解決しようとする課題】
【０００６】
そこで、上記手口による盗難対策として、例えば買物客がレジにて購入商品の代金を支払った（清算）後に、購入が済んだことの確認用として店員が買物客の手提げにタグを取り付けることが考えられる。かかるタグとしては、帯状の紙製シートの両端部を接着剤等により貼り合わせループ（輪）状にした状態で手提げに取り付け使用するものが想定される。これによれば、タグの有無に基づいて手提げに入った商品が購入済みであるのか未購入であるのかを容易に判別できるため、店舗側では作業負荷の著しい増大を伴うことなく上記の手口による盗難を抑止することができる。
【０００７】
ここで、手提げに取り付けられた上記のタグは、買物客により店外において破られ手提げから取り外された後廃棄されることが考えられるが、その一方かかる使用済みのタグが手提げから取り外された後、不正目的で再利用されるケースも想定される。例えば、未購入の商品が入った手提げに使用済みのタグを取り付けて、手提げ内の商品をあたかも購入済みであるかのように見せかけ店外に持ち出すといった不正行為が想定される。この場合、店舗側では多大な損害を被るおそれがあるため改善の必要がある。
【０００８】
本発明は、上記事情に鑑みてなされたものであり、再利用を抑止することで再利用に伴う不正行為の抑制を図ることができる購入済確認用タグを提供することを主たる目的とするものである。
【課題を解決するための手段】
【０００９】
上記課題を解決すべく、第１の発明の購入済確認用タグは帯状に形成された基材シートと、該基材シートの裏面において少なくとも長手方向の端部に形成された粘着層とを備え、前記基材シートの長手方向両端部における裏面同士を前記粘着層により貼り合わせループ状にすることで、購入商品を入れるための手提げに対して取り付けられる購入済確認用のタグであって、前記粘着層により貼り合わせられる貼り合わせ部分となる前記基材シートの長手方向の端部には、前記貼り合わせ部分の剥離に伴って前記基材シートを破断に導く切り込みが設けられていることを特徴とする。
【００１０】
本発明によれば、基材シートの長手方向の両端部が粘着層により貼り合わせられ基材シートがループ状をなすと、基材シートの長手方向の端部に設けられた切り込みが貼り合わせ部分に位置する。この場合、基材シートの貼り合わせ部分が剥がされると、基材シートにおける切り込みの周辺部が対向する基材シートの裏面に貼り付けられたままそれ以外の部分の剥離が進行する等して、基材シートが切り込みをきっかけとして破断に導かれる。そのため、基材シートが不正目的で剥がされた場合でも基材シートが剥がされたことを痕跡として残すことができ、その結果タグの再利用に対して抑止力を発揮することができる。よって、タグの再利用に伴う不正行為の抑制を図ることができる。
【００１１】
第２の発明の購入済確認用タグは、第１の発明において、前記切り込みが、シート面の正面視において当該切り込みの開放端が存在する形状に形成されていることを特徴とする。
【００１２】
本発明によれば、開放端が存在する形状で切り込みが形成されていることから、その開放端を契機として基材シートを不規則に破断させることができる。これにより、破断部分を繋ぎ合せる等してタグを当初の状態に復元するのを困難とすることができるため、タグの再利用に対する抑止力を高めることができる。
【００１３】
第３の発明の購入済確認用タグは、第１又は第２の発明において、前記基材シートには、前記切り込みがシート面の正面視において凸状に設けられており、前記基材シートにおける前記切り込みにより囲まれた部分が前記貼り合わせ部分の剥離に伴い捲れ上がることで小片部が形成されることを特徴とする。
【００１４】
本発明によれば、基材シートの貼り合わせ部分が剥がされると、基材シートにおける凸状の切り込みにより囲まれた部分が対向する基材シートの裏面に貼り付けられたまま捲れ上がり、その結果小片部が形成される。この場合、小片部が捲れ上がったままの状態で貼り合わせ部分の剥離が進行するため、切り込みをきっかけとした基材シートの破断が促進される。そのため、基材シートが不正目的で剥がされた場合には、その痕跡をより確実に残すことができる。
【００１５】
第４の発明の購入済確認用タグは、第３の発明において、前記切り込みは、その凸部を前記基材シートの長手方向における中央側に向けて設けられている第一切り込みであることを特徴とする。
【００１６】
基材シートの貼り合わせ部分が不正目的で剥がされる場合、剥がし易さの点からすると、基材シートのループ部分が引っ張られる等して貼り合わせ部分の基端側（換言するとループ側）から剥がされる可能性が高い。そこで、本発明では、その点に着目し、基材シートに、切り込み（つまり第一切り込み）をその凸部が基材シートの長手方向中央側を向くように設けることで、基材シートのループ形成時において第一切り込みの凸部が貼り合わせ部分の基端側（換言するとループ側）を向くようにしている。この場合、第一切り込みにより囲まれた部分は貼り合わせ部分の基端側からの剥離によって捲れ上がり易くなるため、貼り合わせ部分がその基端側から剥がされた場合において基材シートを破断させ易くすることができ、ひいてはその痕跡を残し易くすることができる。したがって、この場合、上記第１の発明の効果を効果的に得ることができる。
【００１７】
第５の発明の購入済確認用タグは、第４の発明において、前記基材シートには、前記切り込みとして、前記第一切り込みに加え第二切り込みが設けられ、前記第二切り込みは、その凸部を前記基材シートの長手方向における中央側とは反対側に向けて設けられていることを特徴とする。
【００１８】
上述したように基材シートの貼り合わせ部分が不正目的で剥がされる場合、貼り合わせ部分の基端側から剥がされる可能性が高いが、貼り合わせ部分の先端側から剥がし取られる場合も想定される。そこで、本発明では、基材シートに、上記第一切り込みに加え、凸部が基材シートの長手方向における中央側とは反対側を向くように第二切り込みを設けることとしている。この場合、基材シートのループ形成時には第二切り込みの凸部が貼り合わせ部分の先端側を向くため、第二切り込みにより囲まれた部分は貼り合わせ部分の先端側からの剥離によって捲れ上がり易くなる。そのため、貼り合わせ部分がその先端側から剥がされた場合に基材シートを破断させ易くすることができ、ひいてはその痕跡を残し易くすることができる。つまり、この場合、基材シートが貼り合わせ部分の基端側及び先端側のいずれから剥がされた場合でも、その痕跡を残し易くすることができるため、上記第１の発明の効果をより確実に得ることができる。
【００１９】
第６の発明の購入済確認用タグは、第５の発明において、前記第一切り込みと前記第二切り込みとが前記基材シートの長手方向における同じ側の端部に設けられており、前記第一切り込みが、前記第二切り込みよりも前記基材シートの長手方向中央側に配置されていることを特徴とする。
【００２０】
本発明によれば、第一切り込みが第二切り込みよりも基材シートの長手方向中央側に配置されているため、基材シートのループ形成時においては、第一切り込みが第二切り込みよりも貼り合わせ部分の基端側に配置される。つまり、この場合、これら各切り込みの間の部位（以下、切り込み間部という）に対して、貼り合わせ部分の基端側に第一切り込みが配置され、貼り合わせ部分の先端側に第二切り込みが配置されるため、切り込み間部が貼り合わせ部分の基端側から剥がされた場合には第一切り込みにより囲まれた部分が捲れ上がり易く、切り込み間部が貼り合わせ部分の先端側から剥がされた場合には第二切り込みにより囲まれた部分が捲れ上がり易い。そのため、切り込み間部が貼り合わせ部分の基端側及び先端側のいずれから剥がされても、小片部の形成を促進することができ、ひいては基材シートの破断を促進することができる。したがって、基材シートが剥がされた場合にはその痕跡をより確実に残すことができるため、上記第１の発明の効果をより一層確実に得ることができる。
【００２１】
第７の発明の購入済確認用タグは、第１乃至第６のいずれかの発明において、前記切り込みが、前記基材シートの長手方向に沿って所定間隔で複数設けられていることを特徴とする。
【００２２】
基材シートの貼り合わせ部分が不正目的で剥がされる場合、剥がし易さの点からすると、基材シートの幅方向に沿って剥がされるよりも基材シートの長手方向に沿って剥がされる可能性が高い。そこで、本発明では、その点に着目し、切り込みを基材シートの長手方向に沿って所定間隔で複数設けることで、基材シートの長手方向両端部が貼り合わせられた場合に貼り合わせ部分の基端側から先端側に向かって切り込みが所定間隔で複数配置されるようにしている。これにより、基材シートの貼り合わせ部分が基材シートの長手方向に沿って剥がされた場合には、複数の切り込みをきっかけとして基材シートを破断に導くことができるため、上記の効果をより確実に得ることが期待できる。
【００２３】
第８の発明の購入済確認用タグは、第７の発明において、前記切り込みが、前記基材シートの幅方向に沿って所定間隔で複数設けられていることを特徴とする。
【００２４】
本発明によれば、切り込みが基材シートの幅方向に沿って複数設けられているため、切り込みを基材シートの幅方向において所定範囲にわたり設ける場合には、切り込みを基材シートの幅方向に一つだけ設ける構成と比べ切り込みの大きさを小さくすることができる。そのため、切り込みをきっかけとして基材シートが破断しないように貼り合わせ部分を剥がすのを困難とすることができ、その結果基材シートを破断に導き易くすることができる。
【００２５】
また、本構成では、切り込みが基材シートの長手方向に沿っても複数設けられているため、切り込みを基材シートの長手方向の端部全域にわたって配置することが可能となる。そのため、切り込みをきっかけとして基材シートを破断に導く可能性を高めることができる。
【００２６】
さらに、本構成によれば、基材シートの長手方向両端部を貼り合わせた際に、一方の端部が他方の端部に対し基材シートの長手方向または幅方向にはみ出した場合でも、複数の各切り込みのうち少なくとも一部の切り込みを貼り合わせ部分に位置させることが可能となる。そのため、基材シートの貼り合わせの精度に依存することなく上記第１の発明の効果を得ることができる利点もある。
【００２７】
第９の発明の購入済確認用タグは、第１乃至第８のいずれかの発明において、前記基材シートの長手方向における中間部には、前記基材シートを幅方向に沿って破断するための易破断部が設けられていることを特徴とする。
【００２８】
本発明によれば、基材シートの長手方向における中間部に易破断部が設けられているため、基材シートのループ形成時には易破断部が基材シートのループした部分（つまり貼り合わせ部分とは異なる部分）に位置する。したがって、基材シートを易破断部において破ることによりタグを手提げから容易に取り外すことができる。また、基材シートを破る場合には、基材シートにおける易破断部を挟んだ両側部分を持って破ることが考えられる。そこで、その点に着目すれば、易破断部は基材シートの長手方向における略中央部に設けられているのが望ましい。この場合、基材シートにおける易破断部を挟んだ両側部分を比較的広く確保できるため、基材シートを破るに際して利便性を高めることができる。
【図面の簡単な説明】
【００２９】
【図１】購入済確認用タグを示す平面図。
【図２】購入済確認用タグの表面に表示された表示内容を示す平面図。
【図３】購入済確認用タグを示す断面図。
【図４】タグロールを示す斜視図。
【図５】購入済確認用タグをかごに取り付けた状態を示す斜視図。
【図６】購入済確認用タグの貼り合わせ部分周辺を示す図。
【図７】購入済確認用タグが剥がされる場合の作用を説明するための説明図。
【図８】別例における購入済確認用タグを示す平面図。
【発明を実施するための形態】
【００３０】
以下、本発明を具体化した一実施の形態を図面に従って説明する。本実施の形態では、購入商品を入れるために買物客自らが持参する手提げに対して取り付けられる購入済確認用タグについて具体化している。なお、図１は、本実施形態における購入済確認用タグを示す平面図、図２は購入済確認用タグの表面に表示された表示内容を示す平面図、図３は購入済確認用タグを示す断面図である。但し、図３では説明の便宜上、厚み寸法を実際の厚み寸法よりも大きく示している。
【００３１】
図１に示すように、購入済確認用タグ１０（以下、略してタグという）は、帯状に形成されたシート材１１（基材シートに相当）よりなる。シート材１１は、白色の紙（例えば上質紙）により形成されており、本実施形態ではその大きさが長さ２０３ｍｍ、幅３０ｍｍに設定されている。シート材１１の表面は赤色に着色されている。したがって、シート材１１の表面と裏面とは異なった色となっている。また、図２に示すように、シート材１１の表面には、赤地の一部が白抜きされることで文字や図柄等が表示されている。具体的には、「マイバッグのご利用ありがとうございます」の文字とタグの取り付け方を示す図柄とが表示されている。本実施形態では、タグの取り付け方を示す図柄がシート材１１の長手方向両端部に表示されており、後述する切り込み１４と重なるようにして配置されている。
【００３２】
図３に示すように、シート材１１の裏面には粘着層１３が形成されている。粘着層１３は、シート材１１の裏面全域にわたって形成されている。粘着層１３は、接着剤が塗布されることにより形成されており、本実施形態では、特に接着剤同士でのみ粘着力が発生する特殊な接着剤（例えばエマルジョン接着剤）が塗布されている。そのため、本シート材１１は、この粘着層１３により裏面同士でのみ貼り合わせが可能となっており、裏面と表面とが貼り合わせられないようになっている。また、この特殊な接着剤を用いることで、シート材１１は、他の物品に対しても貼り付くことがないようになっている。
【００３３】
シート材１１の長手方向の両端部にはそれぞれ切り込み１４が複数設けられている。本実施形態のタグ１０は、シート材１１にこの切り込み１４が設けられている点に特徴を有しており、以下その詳細について説明する。
【００３４】
切り込み１４は、シート材１１の長手方向の両端部においてそれぞれ、同方向に沿って所定間隔で複数列（図１では３列）設けられており、かつ、これら各列においてそれぞれシート材１１の幅方向に所定間隔で複数ずつ設けられている。詳細には、上記複数列のうち、シート材１１の長手方向の中央側に配置された内側列１７ａ（図１における破線枠内の列）と、内側列１７ａの隣の中央列１７ｂ（図１における一点鎖線枠内の列）とには、切り込み１４がそれぞれ３つずつ設けられており、シート材１１の長手方向の端部側に配置された外側列１７ｃ（図１における二点鎖線枠内の列）には、切り込み１４が２つ設けられている。内側列１７ａ及び中央列１７ｂの各切り込み１４は、それぞれシート材１１の長手方向に沿って横並びに配置されており、外側列１７ｃの各切り込み１４はシート材１１の幅方向において中央列１７ｂの各切り込み１４の中間位置に配置されている。
【００３５】
切り込み１４は、シート材１１のシート面の正面視において略Ｕ字状に設けられており、シート材１１を厚み方向に貫通している。より詳しくは、切り込み１４はＵ字状に沿って連続的に設けられている。また、本実施形態では、切り込み１４として、その円弧部１９（凸部に相当）がシート材１１の長手方向中央側を向くように設けられた第一切り込み１４ａと、その円弧部１９がシート材１１の長手方向中央側とは反対側を向くように設けられた第二切り込み１４ｂとを有している。ここで、第一切り込み１４ａが内側列１７ａ及び外側列１７ｃに配置され、第二切り込み１４ｂが中央列１７ｂに配置されている。
【００３６】
シート材１１における切り込み１４により囲まれた部分は、小片部１５となっている。以下の説明では、小片部１５のうち、第一切り込み１４ａにより囲まれた小片部１５を第一小片部１５ａといい、第二切り込み１４ｂにより囲まれた小片部１５を第二小片部１５ｂという。
【００３７】
以上のように、本実施形態ではシート材１１の長手方向の両端部にそれぞれ同じ数かつ同じ並びで複数の切り込み１４が設けられており、詳細にはそれらシート材１１の各端部に設けられた切り込み１４群がシート材１１の長手方向における中央位置に対して略対称に配置されている。
【００３８】
シート材１１の長手方向における略中央部には、ミシン目１８が形成されている。ミシン目１８は、シート材１１の幅方向に沿って同方向全域にわたって形成されている。
【００３９】
次に、上記のタグ１０が複数連接されることにより構成されるタグロール２０について説明する。図４には、そのタグロール２０の斜視図を示す。タグロール２０は、図４に示すように、複数のタグ１０が切り取り線２１（例えばミシン目よりなる）を介して直列に連接されることにより構成された長尺状のタグ集合体であり、軸芯２２に対してロール状に巻き付けられている。本タグ１０は、このタグロール２０の状態で工場にて製造され、各店舗に納品される。そして、店舗ではタグロール２０からタグ１０が切り取り線２１に沿って切り取られ使用される。
【００４０】
なお、本実施形態では、上述したように特殊な接着剤によりタグ１０の粘着層１３が形成され、シート材１１の表面と裏面とが接着しないようになっているため、タグロール２０の状態において重なり合うタグ１０同士が接着することがないようになっている。
【００４１】
次に、本タグ１０の作用について説明する。
【００４２】
まず、本タグ１０が、買物用の手提げとして買物客自らが持参するかごに取り付けられる場合の作用について図５を参照しつつ説明する。なお、図５は、タグ１０をかごに取り付けた状態を示す斜視図である。
【００４３】
図５に示すように、かご３０は、一対の取っ手３０ａを有する樹脂製の手提げかごであり、買物客は購入商品をこのかご３０の中に入れてレジまで持ち運ぶ。店舗では、レジにおいて購入商品の清算が済んだ後等に、店員により本タグ１０がかご３０の取っ手３０ａに取り付けられる。この場合、タグ１０は、長手方向両端部の裏面同士が粘着層１３により貼り合わせられループ状とされた状態で取っ手３０ａに取り付けられる。より詳細には、タグ１０は、一対の取っ手３０ａを囲むようにして取り付けられる。これにより、店舗側ではかご３０に入った商品が購入済みであることを容易に把握することができる。
【００４４】
そして、かご３０に取り付けられた上記タグ１０は、かご３０が店外に持ち出された後（例えば自宅に着いた後）、かご３０から取り外される。この場合、タグ１０は、例えばミシン目１８に沿って破られる等することでかご３０から取り外される。
【００４５】
続いて、かご３０に取り付けられたタグ１０がその貼り合わせ部分において剥がされる場合の作用について図６及び図７を参照しつつ説明する。図６は、（ａ）がタグ１０の貼り合わせ部分周辺を示す断面図であり、（ｂ）がタグ１０の貼り合わせ部分のシート面を示す図である。図７は、タグ１０が剥がされる場合の作用を説明するための説明図であり、（ａ）及び（ｃ）がタグ１０全体を示す模式図、（ｂ）及び（ｄ）が小片部１５が捲れ上がった状態を示す断面図である。なお、図６及び図７では便宜上、粘着層１３の図示を省略している。また、図６（ａ）は、図６（ｂ）のＡ−Ａ線断面図である。
【００４６】
図６（ａ）に示すように、シート材１１の長手方向の両端部が貼り合わせられタグ１０がループ状をなしている場合には、シート材１１の長手方向両端部に設けられた各切り込み１４（及び各小片部１５）がシート材１１の貼り合わせ部分１１ａに位置する。そのため、この場合には、各小片部１５がそれぞれ対向するシート材１１の裏面に貼り付けられた状態となっている。
【００４７】
具体的には、図６（ｂ）に示すように、各切り込み１４のうち、内側列１７ａの第一切り込み１４ａが貼り合わせ部分１１ａの基端側に位置し、中央列１７ｂの第二切り込み１４ｂが貼り合わせ部分１１ａの中間部（基端側と先端側との間）に位置し、外側列１７ｃの第一切り込み１４ａが貼り合わせ部分１１ａの基端側に位置している。そして、第一切り込み１４ａの円弧部１９がシート材１１の貼り合わせ部分１１ａの基端側（ループ側）を向いており、第二切り込み１４ｂの円弧部１９が当該貼り合わせ部分１１ａの先端側を向いている。したがって、シート材１１のループ形成時には、第一小片部１５ａが当該貼り合わせ部分１１ａの基端側から捲り上げ易くなっている一方、第二小片部１５ｂが当該貼り合わせ部分１１ａの先端側から捲り上げ易くなっている。
【００４８】
ここで、タグ１０の貼り合わせ部分１１ａを剥がす場合には、例えば図７（ａ）に示すように、タグ１０のループした部分１１ｂを引っ張る等することで貼り合わせ部分１１ａをその基端側（ループ側）から先端側に向かって剥がすことが考えられる。この場合、図７（ｂ）に示すように、貼り合わせ部分１１ａの基端側では、内側列１７ａの第一小片部１５ａが対向するシート材１１の裏面に貼り付けられたまま捲れ上がり、その捲れ上がった状態で貼り合わせ部分１１ａの剥離が進行する。そのため、内側列１７ａの第一切り込み１４ａをきっかけとしてシート材１１の破断が促進され、その結果その破断された部分がシート材１１が剥がされたことの痕跡として同シート材１１に残される。
【００４９】
なお、仮にシート材１１が内側列１７ａの第一切り込み１４ａにおいて破断されなかったとしても、貼り合わせ部分１１ａの先端側には外側列１７ｃの第一切り込み１４ａが設けられているため、外側列１７ｃの第一切り込み１４ａ（及び第一小片部１５ａ）において上記同様の作用が働く。したがって、貼り合わせ部分１１ａがその基端側から剥がされた場合には、その痕跡がより確実に残されるようになっている。
【００５０】
また、タグ１０の貼り合わせ部分１１ａを剥がす場合には、図７（ｃ）に示すように、貼り合わせ部分１１ａをその先端側から基端側に向かって剥がすことも考えられる。この場合、図７（ｄ）に示すように、貼り合わせ部分１１ａの中間部において、中央列１７ｂの第二小片部１５ｂが対向するシート材１１の裏面に貼り付けられたまま捲れ上がり、その捲れ上がった状態で貼り合わせ部分１１ａの剥離が進行する。そのため、（中央列１７ｂの）第二切り込み１４ｂをきっかけとしてシート材１１の破断が促進され、その結果その破断された部分がシート材１１が剥がされたことの痕跡として同シート材１１に残される。
【００５１】
以上、詳述した本実施形態の構成によれば、以下の優れた効果が得られる。
【００５２】
シート材１１の長手方向の両端部には、シート面の正面視においてＵ字状に切り込み１４を設けることにより小片部１５を形成した。この場合、シート材１１のループ形成時においては、小片部１５がシート材１１の貼り合わせ部分１１ａに位置し、対向するシート材１１の裏面に貼り付けられる。ここで、シート材１１の貼り合わせ部分１１ａが剥がされると、例えば小片部１５が対向するシート材１１の裏面に貼り付けられたまま捲れ上がり、その捲れ上がったままの状態で貼り合わせ部分１１ａの剥離が進行するため、切り込み１４をきっかけとして切り込み１４の端部からシート材１１の破断が促進される。したがって、シート材１１が不正目的で剥がされた場合でも、シート材１１が剥がされたことを痕跡として残すことができるため、タグ１０の再利用に対して抑止力を発揮することができる。これにより、タグ１０の再利用に伴う不正行為の抑制を図ることができる。
【００５３】
シート材１１の貼り合わせ部分１１ａが不正目的で剥がされる場合、剥がし易さの点からすると、貼り合わせ部分１１ａの基端側（ループ側）から剥がされる可能性が高い。そこで、上記構成では、この点に着目し、シート材１１に、切り込み１４（つまり第一切り込み１４ａ）をその円弧部１９がシート材１１の長手方向中央側を向くよう設けることで、シート材１１のループ形成時において第一切り込み１４ａの円弧部１９が貼り合わせ部分１１ａの基端側を向くようにしている。この場合、第一切り込み１４ａにより囲まれた第一小片部１５ａは貼り合わせ部分１１ａの基端側からの剥離によって捲れ上がり易くなるため、貼り合わせ部分１１ａがその基端側から剥がされた場合においてシート材１１を破断させ易くすることができ、ひいてはその痕跡を残し易くすることができる。したがって、この場合、上記の効果を得るために効果的であると言える。
【００５４】
また、シート材１１には、上記第一切り込み１４ａに加え、円弧部１９がシート材１１の長手方向中央側とは反対側を向くように第二切り込み１４ｂを設けた。この場合、シート材１１のループ形成時において第二切り込み１４ｂの円弧部１９が貼り合わせ部分１１ａの先端側を向くため、第二切り込み１４ｂにより囲まれた第二小片部１５ｂは貼り合わせ部分１１ａの先端側からの剥離によって捲れ上がり易くなる。そのため、貼り合わせ部分１１ａがその先端側から剥がされた場合においてシート材１１を破断させ易くすることができ、ひいてはその痕跡を残し易くすることができる。つまり、この場合、シート材１１が貼り合わせ部分１１ａの基端側及び先端側のいずれから剥がされた場合でも、その痕跡を残し易くすることができるため、上記の効果をより一層確実に得ることができる。
【００５５】
シート材１１の長手方向に隣り合う内側列１７ａの第一小片部１５ａと中央列１７ｂの第二小片部１５ｂとを、互いの円弧部が反対側を向くように設けた。ここで、シート材１１の貼り合わせ部分１１ａのうちこれら小片部１５ａ，１５ｂ同士の間の部位をシート材１１の長手方向に沿って剥がし取る場合には、各小片部１５ａ，１５ｂのうちのいずれかが対向するシート材１１の裏面に貼り付けられた状態で捲り上げられることとなる。したがって、この場合、より一層確実に上記の効果を得ることができる。
【００５６】
第一切り込み１４ａを第二切り込み１４ｂよりもシート材１１の長手方向中央側に配置したため、シート材１１のループ形成時には、第一切り込み１４ａが第二切り込み１４ｂよりも貼り合わせ部分１１ａの基端側に配置される。つまり、この場合、これら各切り込み１４ａ，１４ｂの間の部位（以下、切り込み間部という）に対して、その貼り合わせ部分１１ａの基端側に第一切り込みが１４ａ配置され、貼り合わせ部分１１ａの先端側に第二切り込み１４ｂが配置されるため、切り込み間部が貼り合わせ部分１１ａの基端側から剥がされた場合には第一小片部１５ａが捲れ上がり易く、切り込み間部が貼り合わせ部分の先端側から剥がされた場合には第二小片部１５ｂが捲れ上がり易い。そのため、切り込み間部が貼り合わせ部分１１ａの基端側及び先端側のいずれから剥がされてもシート材１１の破断を促進することができ、その結果シート材１１が剥がされた場合にその痕跡をより確実に残すことができる。よって、上記の効果をより一層確実に得ることができる。
【００５７】
シート材１１の貼り合わせ部分１１ａが不正目的で剥がされる場合、剥がし易さの点からすると、シート材１１の幅方向に沿って剥がされるよりもシート材１１の長手方向に沿って剥がされる可能性が高い。そこで、上記構成では、その点に着目し、切り込み１４をシート材１１の長手方向に沿って所定間隔で複数設けることで、シート材１１の長手方向両端部が貼り合わせられた場合に貼り合わせ部分１１ａの基端側から先端側に向かって切り込み１４が所定間隔で複数配置されるようにしている。これにより、シート材１１の貼り合わせ部分１１ａがシート材１１の長手方向に沿って剥がされた場合には、複数の切り込み１４をきっかけとしてシート材１１を破断に導くことができるため、上記の効果をより確実に得ることが期待できる。
【００５８】
切り込み１４をシート材１１の幅方向に沿って複数設けたため、切り込み１４をシート材１１の幅方向において所定範囲にわたり設ける場合には、切り込み１４をシート材１１の幅方向に一つだけ設ける構成と比べ切り込み１４の大きさを小さくすることができる。そのため、切り込み１４をきっかけとしてシート材１１が破断しないように貼り合わせ部分１１ａを剥がすのを困難とすることができ、その結果シート材１１を破断に導き易くすることができる。
【００５９】
また、切り込み１４をシート材１１の長手方向に沿って複数設けるとともにシート材１１の幅方向に沿って複数設けたため、切り込み１４をシート材１１の長手方向の端部全域にわたって配置することができる。この場合、切り込み１４をきっかけとしてシート材１１を破断に導く可能性を高めることができる。さらに、かかる構成によれば、シート材１１の長手方向両端部を貼り合わせた際に、一方の端部が他方の端部に対しシート材１１の長手方向または幅方向にはみ出したとしても、複数の各切り込み１４のうち少なくとも一部の切り込み１４を貼り合わせ部分１１ａに位置させることが可能となる。そのため、シート材１１の貼り合わせの精度に依存することなく上記の効果を得ることができる利点もある。
【００６０】
切り込み１４は、切り込み端（開放端）を有する形状に形成されているため、切り込み端を契機としてシート材１１を不規則に破断させることが可能である。これにより、破断箇所を目立たせることができるとともにシート材１１を当初の状態に復元するのを困難にすることができるため、タグ１０の再利用に対する抑止力を高めることができる。
【００６１】
切り込み１４をシート材１１の端縁部に達しないように設けたため、例えばシート材１１を不意に引っ張る等してシート材１１がその端部の切り込み１４から意に反して破断するといった不都合を抑制することができる。
【００６２】
接着剤同士でのみ粘着力が発生する特殊な接着剤を用いて粘着層１３を形成したため、本タグ１０はかご３０等の他の物品に付着することがなく、その取り扱いに際して便利である。また、他の物品に付着したタグ１０を剥がし取る際に、意に反して小片部１５が捲れ上がるといった不都合を回避することもできる。
【００６３】
シート材１１の長手方向における略中央部には、同シート材１１の幅方向に沿ってミシン目１８を形成した。この場合、シート材１１のループ形成時においてミシン目１８がシート材１１のループ部分１１ｂに位置するため、シート材１１をミシン目１８に沿って破ることによりタグ１０をかご３０から容易に取り外すことができる。また、ミシン目１８がシート材１１の長手方向における略中央部に形成されているため、シート材１１のループ形成時にはシート材１１のミシン目１８を挟んだ両側部分を比較的広く確保できる。そのため、シート材１１を破るに際して利便性を高めることができる。
【００６４】
シート材１１を紙により形成したため、ミシン目１８以外の部分においてもシート材１１を破ることができる。これにより、タグ１０をかご３０から取り外す際の自由度を高めることができる。
【００６５】
シート材１１の表面を赤色に着色することでシート材１１の表面と裏面との色を異ならせたため、シート材１１が不正目的で剥がされ再利用された場合でも、シート材１１の破断部分を通して露出されるシート材１１の裏面部分を目立たせることができる。これにより、タグ１０の再利用に対する抑止力を高めることができる。
【００６６】
シート材１１の表面には、切り込み１４に重なるようにしてタグの取り付け方を示す図柄を表示したため、シート材１１が不正目的で剥がされ再利用された場合でも、図柄のずれにより破断部分を目立たせることができる。これにより、タグ１０の再利用に対する抑止力を高めることができる。なお、タグの取り付け方を示す図柄に代えて、他の図柄を表示してもよいし、また文字を表示してもよい。要は、視認可能な識別表示が切り込み１４に重なるように表示されていればよい。
【００６７】
本発明は上記実施形態に限らず、例えば次のように実施されてもよい。
【００６８】
（１）上記実施形態では、シート材１１にＵ字状の切り込み１４を設けることで小片部１５を形成したが、切り込み１４の形状はＵ字形状に限定されることはなく、その他の凸形状であってもよい。例えば、図８（ａ）に示すようにシート材１１にコ字状の切り込み３１を設けることで小片部３２を形成してもよいし、図８（ｂ）に示すように頂点のある山形の切り込み３３を設けることで小片部３４を形成してもよい。
【００６９】
（２）上記実施形態では、切り込み１４として、円弧部１９がシート材１１の長手方向の中央側を向く第一切り込み１４ａと、円弧部１９が同方向の端部側を向く第二切り込み１４ｂとを設けたが、これに代えて又は加えて、円弧部１９がシート材１１の長手方向以外を向くように切り込みを設けてもよい。例えば、図８（ｃ）に示すように、円弧部１９がシート材１１の幅方向を向くように切り込み１４ｃ，１４ｄを設けることが考えられる。この場合、切り込み１４ｃ，１４ｄにより囲まれた小片部１５ｃ，１５ｄをシート材１１の幅方向に沿って剥離することにより捲れ上がり易くすることができるため、シート材１１が幅方向に沿って剥がされた場合にその痕跡をより確実に残すことができる。
【００７０】
また、シート材１１の隅部１１ｃにおいて、円弧部１９が当該隅部１１ｃの先端側（詳細にはシート材１１の隣り合う二辺の頂点）を向くように切り込み１４ｅ，１４ｆを設けてもよい。例えば、シート材１１を貼り合わせ部分１１ａの先端側から剥がす場合には、剥がし易さの点からするとまず隅部１１ｃの先端側から剥がし始めることが考えられるが、この場合、隅部１１ｃ先端側からの剥離によって切り込み１４ｅ，１４ｆにより囲まれた小片部１５ｅ，１５ｆを捲れ上がり易くすることができる。そのため、貼り合わせ部分１１ａが隅部１１ｃの先端側から剥がされた場合に、その痕跡を残し易くすることができる。
【００７１】
さらに、シート材１１には、円弧部１９の向きが異なる各切り込み１４ａ〜１４ｆを混在させて設けてもよいし、円弧部１９が特定の方向を向く切り込み１４だけ（例えば切り込み１４ａだけ）を設けるようにしてもよい。
【００７２】
（３）上記実施形態では、切り込み１４をシート材１１の長手方向に沿って３列設けたが、切り込み１４の列数は任意としてよい。例えば、図８（ｄ）に示すように、切り込み１４の列を一列にしてもよい。この場合、切り込み１４の列を削減した分シート材１１の大きさを小さくすることができるため、コスト的に有利である。また、切り込み１４の列を一列とした場合には、当該列に第一切り込み１４ａと第二切り込み１４ｂとを混在させるのが望ましい。そうすれば、シート材１１が貼り合わせ部分１１ａの基端側から剥がされた場合には第一切り込み１４ａを、当該部分１１ａの先端側から剥がされた場合には第二切り込み１４ｂを捲れ上がり易くすることができるため、基端側及び先端側のいずれから剥がされた場合にもシート材１１を破断させ易くすることができる。したがって、かかる一列の構成においても、シート材１１が剥がされたことの痕跡をより確実に残すことができる。
【００７３】
また、上記実施形態では、切り込み１４をシート材１１の幅方向に沿って２個（外側列１７ｃ）あるいは３個（内側列１７ａ，中央列１７ｂ）設けたが、その数は任意としてよい。例えば、シート材１１の幅方向に１個だけ切り込み１４を設ける構成としてもよい。この場合、シート材１１の幅方向に複数の切り込み１４を設ける構成と比べ、切り込み１４を設けることによるシート材１１の引っ張り強度等の低減を抑制することができる。
【００７４】
さらに、切り込み１４は必ずしもシート材１１の長手方向又は幅方向に沿って並べる必要はなく、その並べ方は任意である。例えば、切り込み１４を千鳥状に配置したり、シート材１１の長手方向に対して斜め方向に並べたりする等その他の並びで配置してもよい。
【００７５】
（４）切り込み１４の個数については必ずしも上記実施形態と同様である必要はなく、任意である。なお、切り込み１４の個数は１つでもよい。また、切り込み１４の大きさについても任意であり、各切り込みの大きさを同じにしてもよいし異ならせてもよい。
【００７６】
（５）上記実施形態では、シート材１１の長手方向の両端部に設けた複数の切り込み１４をシート材１１の長手方向における中央位置に対して略対称に配置したが、これを変更して、非対称に配置してもよい。また、シート材１１の長手方向の両端部においてそれぞれ切り込み１４の設け方（並び、数、形状など）を異ならせてもよい。例えばシート材１１の長手方向の一端部には図８（ｃ）に示すように切り込み１４を設ける一方、シート材１１の長手方向の他端部には図８（ｄ）に示すように切り込み１４を設けることが考えられる。
【００７７】
（６）上記実施形態では、切り込み１４をシート材１１の長手方向の両端部に形成したが、シート材１１の長手方向の一端部にのみ形成してもよい。また、切り込み１４をシート材１１の長手方向の端部に加え、シート材１１の長手方向における中間部に設けるようにしてもよい。
【００７８】
（７）上記実施形態では、シート材１１に切り込み１４をＵ字状に連続的に設けることにより小片部１５を形成したが、これを変更してもよい。例えば、図８（ｅ）に示すように、切り込み３６をＵ字状に断続的（例えばミシン目状）に設けることで、シート材１１の貼り合わせ部分１１ａが剥離される際に、切り込み３６により囲まれた部分（以下、囲み部分３７という）が対向するシート材１１の裏面に貼り付けられた状態で捲れ上がり小片部が形成されるようにしてもよい。この場合においても、上記実施形態と同様、囲み部分３７が捲れ上がったままの状態で（つまり小片部が形成された状態で）貼り合わせ部分１１ａの剥離が進行するため、シート材１１の破断を促進させることができる。また、意に反して囲み部分３７が捲れ上がるのを抑制する効果も得ることができる。
【００７９】
さらに、この場合においては、図８（ｅ）に示すように、切り込み３６をシート材１１の長手方向に沿って長尺状に設けるのが望ましい。そうすれば、上記囲み部分３７の面積を大きくすることができるため、囲み部分３７が対向するシート材１１の裏面に貼り付けられる貼り付け面積を大きくすることができる。したがって、囲み部分３７を対向するシート材１１の裏面に対してより確実に貼り付けることができ、その結果貼り合わせ部分１１ａの剥離に伴い囲み部分３７を捲れ上がり易くすることができる。これにより、囲み部分３７の捲れ上げに伴うシート材１１の破断をより確実に導くことができる。
【００８０】
（８）上記実施形態では、複数の各切り込み１４をそれぞれ他の切り込み１４と連続させないように設けたが、これを変更して、複数の切り込み１４を連続させるように設けてもよい。例えば、図８（ｆ）に示すように、第一切り込み１４ａと第二切り込み１４ｂとを連続させることにより全体として略Ｓ字状の切り込み３８を設けることが考えられる。この場合においても、上記実施形態と同様の効果を得ることができる。
【００８１】
（９）上記実施形態では、シート材１１を厚み方向に貫通するように切り込み１４を設けたが、これを変更して、シート材１１を厚み方向に貫通しないように切り込みを設けてもよい。要は、貼り合わせ部分１１ａの剥離に伴い、切り込みにより囲まれた部分（以下、囲み部分という）が捲れ上がるようにすればよい。そうすれば、囲み部分の捲れ上げに伴うシート材１１の破断を導くことができる。また、この場合、囲み部分が意に反して捲れ上がるのを抑制する効果も得られる。
【００８２】
（１０）上記実施形態では、切り込み１４を凸状（詳細にはＵ字状）に設けたが、切り込みは必ずしも凸状に設ける必要はなく、その他の形状でもよい。例えば、図８（ｇ）に示すように、切り込み３９，４０を直線状に設けることが考えられる。図８（ｇ）では、切り込み３９，４０として、シート材１１の幅方向に沿って設けられた切り込み３９と、シート材１１の長手方向に対して斜め方向に設けられた切り込み４０とが設けられている。この場合、シート材１１が長手方向に沿って剥がされると、例えば切り込み３９をきっかけとしてシート材１１を破断に導くことができるため、シート材１１が剥がされたことを痕跡として残すことができる。また、シート材１１の端縁部に達するようにして切り込み３９ａを設けてもよい。
【００８３】
さらには、切り込み４１を十字形状に設けてもよい。この場合、シート材１１が長手方向及び幅方向のいずれに沿って剥がされても、切り込み４１をきっかけとしてシート材１１を破断に導くことができ、その結果シート材１１が剥がされたことを痕跡として残すことができる。
【００８４】
（１１）上記実施形態では、接着剤同士でのみ粘着力が発生する特殊な接着剤を用いて粘着層１３を形成したが、粘着層１３を形成するためには必ずしもかかる特殊な接着剤を用いる必要はなく、アクリル水溶性接着剤，溶剤系接着剤，ホットメルト接着剤等一般的な接着剤を用いてもよい。また、一般的な接着剤により粘着層１３を形成する場合には、シート材１１の裏面における長手方向の一端部にのみ粘着層１３を形成してもよい。この場合でも、シート材１１の長手方向の両端部を貼り合わせてタグ１０をループ状に形成することができる。さらに、上記実施形態では、シート材１１の裏面全域に粘着層１３を形成したが、これを変更して、シート材１１の裏面における長手方向の両端部にのみ粘着層１３を形成してもよい。そうすれば、接着剤の使用量を削減できるためコスト的に有利である。
【００８５】
（１２）上記実施形態では、シート材１１にミシン目１８を形成したが、これを変更して、シート材１１に切り欠きを形成してもよい。具体的には、図８（ｈ）に示すように、シート材１１の長手方向の略中央部における幅方向の端部に切り欠き４３を形成する。この場合、シート材１１のループ形成時には切り欠き４３がシート材１１のループ部分１１ｂに位置するため、切り欠き４３をきっかけとしてシート材１１を破ることによりタグ１０をかご３０から容易に取り外すことができる。
【００８６】
また、シート材１１にミシン目１８を形成しない構成としてもよい。この場合においても、シート材１１が紙により形成されているため、シート材１１を破ってタグ１０をかご３０から取り外すことが可能である。さらに、シート材１１をミシン目１８ではない部分で破る場合には、ミシン目１８に沿って破る場合とは異なり、シート材１１の破れ目が不規則となるため、タグ１０の破断部分を繋ぎ合せて再利用を図る不正行為を抑制する効果もある。
【００８７】
（１３）上記実施形態では、シート材１１を紙により形成したが、合成樹脂等その他の材料により形成してもよい。但し、シート材１１を破断に導くことによりシート材１１が剥がされたことの痕跡を残し、これによりタグ１０の再利用の抑制を図るという本発明の性質上、シート材１１は破れ易い材料により形成するのが好ましい。
【００８８】
（１４）上記実施形態では、手提げとしてのかご３０にタグ１０を取り付ける場合を例に説明したが、タグ１０はかご以外の手提げに取り付けてもよく、例えばバッグや袋に取り付けてもよい。また、上記実施形態では、タグ１０をかご３０の取っ手３０ａに取り付けたが、取っ手３０ａ以外の部分に取り付けてもよい。例えば、かご３０の本体部（つまり購入商品が入れられる部分）に複数設けられた孔部（図４参照）を利用してタグ１０を取り付けることが考えられる。さらに、上記実施形態では、タグ１０を一対の取っ手３０ａを囲むようにして取り付けたが、片方の取っ手３０ａにのみ取り付けてもよい。
【符号の説明】
【００８９】
１０…購入済確認用タグ、１１…基材シートとしてのシート材、１３…粘着層、１４…切り込み、１４ａ…第一切り込み、１４ｂ…第二切り込み、１５…小片部、１５ａ…第一小片部、１５ｂ…第二小片部、１８…易破断部としてのミシン目、１９…凸部としての円弧部、３０…手提げとしてのかご、４３…易破断部としての切り欠き。
【図１】
0005495662.tif 000002
【図２】
0005495662.tif 000003
【図３】
0005495662.tif 000004
【図４】
0005495662.tif 000005
【図５】
0005495662.tif 000006
【図６】
0005495662.tif 000007
【図７】
0005495662.tif 000008
【図８】
0005495662.tif 000009